(57)【特許請求の範囲】
【請求項１】
略筒状の取付部を突設させた胴本体と、
木材を用いて構成されると共に、鼓面を構成する皮革が張設状態で鋲止め固定される枠体と、を備え、
前記枠体が、皮革が張設状態で鋲止め固定された状態で、前記取付部に対して、連結部材を用いて着脱可能に外装され、
前記連結部材が、タッピングネジから構成されて、該タッピングネジが、前記皮革を固定した前記枠体を貫通して、取り外し可能に前記取付部にネジ込んで、前記枠体を前記取付部に取り付ける構成として、
さらに、ネジ込まれた前記タッピングネジの頭部が、前記皮革を固定した前記枠体に対して、取り外し可能に嵌合若しくは打ち込まれる化粧キャップによって、覆われる構成とするとともに、前記化粧キャップの頭部が、皮革を止めた前記鋲の頭部との判別を容易とするように、前記鋲の頭部と、色、若しくは、模様、若しくは、形状、を異ならせていることを特徴とする和太鼓。
【請求項２】
略筒状の取付部を突設させた胴本体と、
木材を用いて構成されると共に、鼓面を構成する皮革が張設状態で鋲止め固定される枠体と、を備え、
前記枠体が、皮革が張設状態で鋲止め固定された状態で、前記取付部に対して、連結部材を用いて着脱可能に外装され、
前記連結部材が、
前記枠体側と前記胴本体側との一方に突出するように配置されて、自由端側を屈曲させた略コの字状の線材若しくは板材から形成される係止部と、
前記枠体側と前記胴本体側との他方側にそれぞれ配置されて、前記係止部に対して弾発状に係止される係止アーム、該係止アームの基端部側を、基端部と自由端部との間の巻き込み部によって、回動可能に支持する操作アーム、及び、前記操作アームの基端部側を回動可能に支持する可動支点と、
から構成され、
前記係止アームを前記係止部に係止させて、前記操作アームの自由端側を、前記可動支点を中心として回動させることにより、前記係止アームを、解除可能に、前記係止部に対して、弾発状に堅固に係止する構成としていることを特徴とする和太鼓。
【請求項３】
前記胴本体が、金属製とされることを特徴とする請求項１若しくは請求項２に記載の和太鼓。
【請求項４】
前記胴本体が、再生紙を用いて構成されることを特徴とする請求項１若しくは請求項２に記載の和太鼓。
【請求項５】
前記胴本体が、合成樹脂を用いて構成されることを特徴とする請求項１若しくは請求項２に記載の和太鼓。
【請求項６】
前記取付部が、前記胴本体の一端部のみに設けられることを特徴とする請求項１乃至請求項５の何れかに記載の和太鼓。
【発明の詳細な説明】
【０００１】
【発明の属する技術分野】
本発明は、メンテナンスを容易、かつ、安価に受けられると共に、胴本体の構成素材の選択の自由度を高めることができる和太鼓に関する。
【０００２】
【従来の技術とその課題】
従来の和太鼓では、木製の胴本体の端部に、鼓面を構成する皮革が張設状態で鋲止め固定されている。かかる和太鼓において、皮革に弛みを生じたり、皮革が破損・劣化した場合等には、皮革の張り直し作業や交換作業等のメンテナンスを行うことが必要となる。
【０００３】
ここで、この張り直し作業や交換作業等の際には、胴本体の端部において、円形状等とされた皮革を、その半径外方に均等に引っ張りながら、この皮革の周縁側を胴本体の端部に鋲止め固定することが必要となる。しかも、この鋲止め固定の際に、皮革の張り具合を正確に調節すること、即ち、和太鼓を正確に調律することも必要となる。よって、これらの作業には熟練を要し、和太鼓の使用者自身が行うことは、一般に困難である。例えば、学校等の教育機関において、和太鼓を学習教材として用いる場合に、教師や児童（生徒）等がこれらの作業を行うことは不可能である。このため、使用者は、和太鼓のメンテナンス業者や製造業者に、これらの作業を委託するのが一般的である。
【０００４】
しかし、和太鼓には、胴本体の直径が１ｍを越える大型のものも存在するため、和太鼓をメンテナンス業者等の所まで搬送するために、大きな手間を要することがある。このため、従来の和太鼓においては、上記張り直し作業等を簡単に受けられなっかたり、この張り直し作業等のために多額の搬送費を必要とすることがある。
【０００５】
また、従来の和太鼓では、前述のように、皮革を胴本体に直接、鋲止め固定することが必要なため、胴本体の構成素材が木材のみに限定され、多種・多様な和太鼓を作製することの妨げとなっている。
【０００６】
本発明は、上述の観点に鑑みてなされたものであり、メンテナンスを容易、かつ、安価に受けられると共に、胴本体の構成素材の選択の自由度を高めることができる和太鼓を提供することを目的とする。
【０００７】
【課題を解決するための手段】
本発明に係る和太鼓は、略筒状の取付部を突設させた胴本体と、
木材を用いて構成されると共に、鼓面を構成する皮革が張設状態で鋲止め固定される枠体と、を備え、
前記枠体が、皮革が張設状態で鋲止め固定された状態で、前記取付部に対して、連結部材を用いて着脱可能に外装され、
前記連結部材が、タッピングネジから構成されて、該タッピングネジが、前記皮革を固定した前記枠体を貫通して、取り外し可能に前記取付部にネジ込んで、前記枠体を前記取付部に取り付ける構成として、
さらに、ネジ込まれた前記タッピングネジの頭部が、前記皮革を固定した前記枠体に対して、取り外し可能に嵌合若しくは打ち込まれる化粧キャップによって、覆われる構成とするとともに、前記化粧キャップの頭部が、皮革を止めた前記鋲の頭部との判別を容易とするように、前記鋲の頭部と、色、若しくは、模様、若しくは、形状、を異ならせていることを特徴とする。
また、本発明に係る和太鼓は、略筒状の取付部を突設させた胴本体と、
木材を用いて構成されると共に、鼓面を構成する皮革が張設状態で鋲止め固定される枠体と、を備え、
前記枠体が、皮革が張設状態で鋲止め固定された状態で、前記取付部に対して、連結部材を用いて着脱可能に外装され、
前記連結部材が、
前記枠体側と前記胴本体側との一方に突出するように配置されて、自由端側を屈曲させた略コの字状の線材若しくは板材から形成される係止部と、
前記枠体側と前記胴本体側との他方側にそれぞれ配置されて、前記係止部に対して弾発状に係止される係止アーム、該係止アームの基端部側を、基端部と自由端部との間の巻き込み部によって、回動可能に支持する操作アーム、及び、前記操作アームの基端部側を回動可能に支持する可動支点と、
から構成され、
前記係止アームを前記係止部に係止させて、前記操作アームの自由端側を、前記可動支点を中心として回動させることにより、前記係止アームを、解除可能に、前記係止部に対して、弾発状に堅固に係止する構成としていることを特徴とする。
【０００８】
また、この和太鼓では、前記胴本体が、金属製とされてもよい。
【０００９】
さらに、この和太鼓では、前記胴本体が、再生紙を用いて構成されてもよい。
【００１０】
また、この和太鼓では、前記胴本体が、合成樹脂を用いて構成されてもよい。
【００１１】
さらに、この和太鼓では、前記取付部が、前記胴本体の一端部のみに設けられてもよい。
【００１２】
【発明の効果】
本発明に係る和太鼓では、皮革を鋲止め固定した枠体が、取付部に対して着脱可能に外装されている。このため、皮革の張り直し作業や交換作業等が必要な場合には、連結部材を操作して、皮革と一体の枠体を取付部から取り外し、和太鼓のメンテナンス業者等の所へ搬送すればよい。即ち、皮革の張り直し作業等の際に、大型の胴本体を使用者の手元に残したまま、小型の枠体のみをメンテナンス業者等の所へ搬送すればよい。
【００１３】
従って、本和太鼓においては、メンテナンスを容易、かつ、安価に受けることができる。
【００１４】
また、本和太鼓では、木製の枠体が用いられ、この枠体に皮革が鋲止固定される。即ち、皮革を胴本体に鋲止め固定する必要がないため、胴本体の構成素材が木材に限定されない。
【００１５】
従って、胴本体の構成素材の選択の自由度を高めることができ、多種・多様な和太鼓を得ることができる。例えば、胴本体を木製とし、高級感や重厚感等に富む和太鼓を得るばかりでなく、胴本体を金属、紙、若しくは合成樹脂等の非木質材で構成して、安価で、手軽に演奏可能な和太鼓を得ることができる。
【００１６】
また、本和太鼓によると、その不使用時に、胴本体の内部空間を各種物品の収納個所として積極的に利用することもできる。例えば、本和太鼓を演奏会場等に搬送する際に、本和太鼓から枠体を取り外せば、胴本体の内部に、演奏用の衣装や譜面等の各種物品を収納することができる。また、本和太鼓を自動車の荷台等に搭載すると、この荷台等が満杯となる場合であっても、胴本体の内部空間を収納個所として利用すれば、各種物品をこの自動車にて搬送することができる。
【００１７】
さらに、従来の和太鼓では、その搬送中等に、皮革を誤って破損させることがある。これに対し、本和太鼓では、その搬送時に、皮革と一体の枠体を取付部から取り外し、この枠体を胴本体とは別に搬送することができる。そして、この枠体が小型であり、別途の保護容器や保護ケース等に収納することも可能なため、この搬送時に、皮革を誤って破損させることを確実に防止できる。
【００１８】
また、従来の和太鼓を学習教材として用いる場合には、児童のいたずら等を原因として、皮革を破損させることもある。これに対し、本和太鼓では、その不使用時に、教師等が、皮革と一体の枠体を取付部から取り外して保管することができるため、この皮革の破損を確実に防止できる。
【００１９】
さらに、皮革を鋲止め固定した枠体は小型であり、大きな収納スペースを必要とせず、しかも、胴本体に比べて安価なため、使用者は、予備の枠体を別途用意することもできる。そして、皮革の張り直しや交換が必要となった場合には、例えば、使用者自身が、枠体を取り換えるだけで、和太鼓を引き続き使用することができる。尚、皮革が胴本体に直接、鋲止め固定される従来品においては、和太鼓全体を、メンテナンス業者等の所へ搬送することが必要なため、和太鼓が使用者の手元に返却されるまでの間、この和太鼓を使用することができない。
【００２０】
胴本体が、金属製とされる場合には、自然環境に優しい和太鼓を得ることができると共に、和太鼓の製造コストの低廉化や、和太鼓の品質の均質化を図ることができる。
【００２１】
即ち、木製の胴本体は、けやき等の丸太を筒形状にえぐって構成されるのが一般的である。このような木製の胴本体を用いると、森林の伐採・自然環境の破壊等を招くことになる。また、木製の胴本体を用いて、大型の和太鼓を製造しようとすると、製造コストが高くなり易い。一般に、大径の丸太は入手困難で、高価であるからである。
【００２２】
また、木製の胴本体を用いる場合には、そのサイズに拘わらず、原材料となる丸太を、長期間に渡って乾燥保存することが必要である。しかも、丸太のくりぬき等のために、大きな手間を要し、和太鼓の製造コストが高くなり易い。さらに、この種の胴本体は、自然材（丸太）に木工を施して構成されるため、生産される胴本体の性質を常に一定に保つことは不可能である。従って、生産される個々の和太鼓毎に、打音にばらつきを生ずることもあり、品質の均質化を図ることは困難である。
【００２３】
これに対して、胴本体を金属の加工品として構成する場合には、この胴本体を簡単、かつ、安価に製造できると共に、この胴本体の品質の均質化を図ることが容易である。また、胴本体が、再生紙を用いて構成される場合や、前記胴本体が、合成樹脂を用いて構成される場合にも、和太鼓の製造コストの低廉化や、和太鼓の品質の均質化を図ることができる。
【００２４】
前記取付部が、前記胴本体の一端部のみに設けられる場合には、和太鼓の構造のより一層の簡略化と、製造コストのより一層の低廉化とを図ることができる。また、このように、製造コストがより一層、低廉であるため、例えば、練習用の和太鼓としても、気軽に使用することができる。
【００２５】
【発明の実施の形態】
以下、本発明の一実施形態を図面に基づいて説明する。
【００２６】
第１実施形態の和太鼓Ａは、図１及び２に示すように、胴本体１と、制振材２と、枠体３と、皮革５と、鋲６と、連結部材としてのビス７と、化粧キャップ８と、を備えて構成されている。
【００２７】
胴本体１は、アルミニウム製等の金属材料からダイカスト鋳造、あるいは、金属板から板金加工や溶接等を利用し、略樽型に形成して形成されている。また、胴本体１は、両端部に略リング状の端面１１を備え、この端面１１の内周縁寄りから略筒状の取付部１２を突設させている。尚、胴本体１の外周面の４個所には、本和太鼓Ａを持ち運ぶ際に「持ち手」として機能する金具９が取着されている。
【００２８】
制振材２は、取付部１２に外嵌可能な筒形状として、ゴム若しくは樹脂発泡体等の弾性素材を用いて構成されている。
【００２９】
枠体３は、外形が略円錐台形状とされた木製の筒状物を用いて構成されている。また、枠体３は、取付部１２及び制振材２よりも全高が大きくされていると共に、枠体３の内部空間は、制振材２を嵌入可能なサイズとされている。さらに、枠体３には、５つの取付孔３１が周方向に沿った等間隔な位置に設けられている。この取付孔３１は、半径方向に沿った中間部で内径を段差状に変化させており、外周面寄りに位置する大径部３１ａと、内周面寄りに位置する小径部３１ｂとで構成されている。
【００３０】
皮革５としては、獣皮（例えば、牛皮）等の天然皮革、若しくは合成皮革が用いられ、裏面５１を枠体３の上底面３２（胴本体１の端面１１と離間する面）に当接させ、周縁側に位置する耳部５２を、枠体３の外周面に当接させている。そして、耳部５２を枠体３の下底面３３（胴本体１の端面１１と当接する面）方向に引っ張り、鼓面５３を張設した状態で、耳部５２を枠体３の外周面に鋲６止め固定している。尚、耳部５２は、５つの貫通孔５５を、周方向に沿った等間隔な位置に備えている。
【００３１】
ビス７は、頭部７ａと、雄ネジ部７ｂとを備えるタッピングネジである。また、化粧キャップ８は、鋲６の頭部６ａと同一形状とされた頭部８ａと、大径部３１ａに嵌合可能な略筒状の嵌合部８ｂと、を備えている。尚、化粧キャップ８の頭部８ａと、鋲６の頭部６ａとは、異なる色に着色されている。
【００３２】
次に、和太鼓Ａの組立方法の一例を説明する。
【００３３】
先ず、皮革５を張設状態としつつ、枠体３に鋲６止め固定する。このとき、多数の鋲６が、耳部５２を上下二段に略周回する状態で、耳部５２及び枠体３の外周面側に打ち込まれる。尚、耳部５２の貫通孔５５は、枠体３の取付孔３１に位置合わせされる。一方、胴本体１の取付部１２には、制振材２が外嵌される。
【００３４】
次いで、皮革５と一体とされた枠体３が、制振材２の外嵌された取付部１２に外装される。そして、貫通孔５５の外方からビス７の雄ネジ部７ｂを挿入し、この雄ネジ部７ｂを制振材２及び取付部１２にネジ込んで、この雄ネジ部７ｂを取付部１２に螺入固定する。このとき、ビス７の頭部７ａが大径部３１ａの底面に当接される。そして、化粧キャップ８の嵌合部８ｂを大径部３１ａに嵌合し、化粧キャップ８の頭部８ａで、大径部３１ａを隠蔽し、本和太鼓Ａの組立を完了する。
【００３５】
これに対し、本和太鼓Ａのメンテナンスが必要な場合には、化粧キャップ８及びビス７を順次取り外した後に、皮革５と一体の枠体３を取付部１２から取り外せばよい。この際、化粧キャップ８の頭部８ａが、鋲６の頭部６ａと異なる色に着色され、作業者は、両頭部８ａ・６ａを瞬時に判別できるため、この枠体３の取り外し作業を円滑に行うことができる。
【００３６】
以上の和太鼓Ａでは、皮革５を鋲６止め固定した枠体３が、取付部１２に対して着脱可能に外装されている。このため、皮革５の張り直し作業や交換作業等が必要な場合には、皮革５と一体の枠体３を取付部１２から取り外し、メンテナンス業者等の所へ搬送すればよい。即ち、皮革５の張り直し作業等の際に、大型の胴本体１を使用者の手元に残したまま、小型の枠体３のみをメンテナンス業者等の所へ搬送すればよい。
【００３７】
従って、本和太鼓Ａにおいては、メンテナンスを容易、かつ、安価に受けることができる。
【００３８】
また、本和太鼓Ａでは、木製の枠体３が用いられ、皮革５がこの枠体３に対して鋲６止固定される。即ち、皮革５を胴本体１に鋲止め固定する必要がないため、胴本体１の構成素材として金属を選択することができる。このため、本和太鼓Ａは、自然環境に優しく、製造コストが低廉である。また、本和太鼓Ａを大量生産しても、その品質の均質化を図ることが容易である。
【００３９】
また、本和太鼓Ａによると、その不使用時に、胴本体１の内部空間を各種物品の収納個所として積極的に利用することもできる。例えば、本和太鼓Ａを演奏会場等に搬送する際に、本和太鼓Ａから枠体３を取り外せば、胴本体１の内部に、演奏用の衣装や譜面等の各種物品を収納することができる。また、本和太鼓Ａを自動車の荷台等に搭載すると、この荷台等が満杯となる場合であっても、胴本体１の内部空間を収納個所として利用すれば、各種物品をこの自動車にて搬送することができる。
【００４０】
さらに、本和太鼓Ａでは、その搬送時に、皮革５と一体の枠体３を取付部１２から取り外し、この枠体３を胴本体１とは別に搬送することができる。そして、この枠体３が小型であり、別途の保護容器や保護ケース等に収納することも可能なため、この搬送時に、皮革３を誤って破損させることを確実に防止できる。また、本和太鼓Ａを学習教材として使用する場合には、その不使用時に、教師等が、皮革５と一体の枠体３を取付部１２から取り外して保管することができるため、児童のいたずら等を原因といた皮革５の破損を確実に防止できる。
【００４１】
さらに、皮革５を鋲６止め固定した枠体３は小型であり、大きな収納スペースを必要とせず、しかも、胴本体１に比べて安価なため、使用者は、予備の枠体３を別途用意することもできる。そして、皮革５の張り直しや交換が必要となった場合には、使用者等が枠体３を取り換えるだけで、和太鼓Ａを引き続き使用することができる。
【００４２】
尚、第１実施形態においては、化粧キャップ８の頭部８ａと、鋲６の頭部６ａとの判別の容易化のために、両者に異なる模様を付したり、両者の形状を異なるものとすることもできる。
【００４３】
次に、図３を用いて、第２実施形態の和太鼓Ｂについて説明する。この和太鼓Ｂは、連結部材の態様が異なる点を除き、第１実施形態の和太鼓Ａと同様な構成を備えている。
【００４４】
この連結部材は、図３（ａ）に示すように、枠体３側に配置された係止部７１と、胴本体１側に配置されると共に係止部７１に対して弾発状に係止される係止アーム７２と、を主要部とするものである。
【００４５】
係止部７１は、枠体３の外周面に突出状に配置され、自由端を上方に屈曲させた略コの字状の線材若しくは板材を用いて構成されている。
【００４６】
また、胴本体１の外周面には、線材を略フック状若しくは略リング状等として構成される可動支点７３が、胴本体１の周方向に沿って２個若しくは３個等の複数配置されている。
【００４７】
さらに、各可動支点７３には、操作アーム７４が回動可能に支持されている。即ち、この操作アーム７４は、略舌片状の線材を用いて構成されると共に、基端部７４ａ側を屈曲させて軸部（図示を省略）としている。また、基端部７４ａと自由端部７４ｂとの間の左右一対の部位に、各々略周回状の巻き込み部７４ｃを設け、操作アーム７４の弾性を高めている。そして、基端部７４ａ側の軸部を、可動支点７３に挿通することによって、操作アーム７４全体が回動可能に支持されている。
【００４８】
係止アーム７２は、略コの型の線材を用いて構成され、基端部７２ａ側を屈曲させて軸部（図示を省略）としている。そして、この軸部が操作アーム７４の外側から、巻き込み部７５ｃに挿通されているため、係止アーム７２は、操作アーム７４に対して回動可能に支持されている。
【００４９】
この連結部材では、先ず、図３（ｂ）に示すように、係止アーム７２を係止部７１に引っかける。次いで、操作アーム７４の自由端部７４ｂ側を下方に向かって引き下げると、操作アーム７４は可動支点７３を回動中心として、下方に回動する。この操作アーム７４の下方回動に伴って、図３（ｃ）に示すように、係止アーム７２も下方へ移動し、係止アーム７２が係止部７１に対して堅固に係止される。
【００５０】
一方、この係止状態にあるときに、操作アーム７４を、可動支点７３を回動中心として上方に回動すると、係止アーム７２と、係止部７１との係止が解除され、皮革５と一体の枠体３を取付部１２から取り外すことができる。
【００５１】
以上の和太鼓Ｂにおいても、構造が簡単で、操作の容易な連結部材を用いて、枠体３と取付部１２との着脱を行うことができる。従って、前述の第１実施形態の和太鼓Ａと同様な効果を得ることができる。
【００５２】
尚、第２実施形態においては、係止部７１を胴本体１側に配置し、操作アーム７４及び係止アーム７２を枠体３側に配置することもできる。
【００５３】
次に、図４を用いて、第３実施形態の和太鼓Ｃについて説明する。この和太鼓Ｃは、以下の点で異なることを除いて、第１実施形態の和太鼓Ａと同様な構成を備えている。即ち、胴本体１００は、一方の端部のみに取付部１２０を突設させ、他方の端部は、大型の開口部（取付部１２０の開口端よりも遙かに大型の開口部）とされている。そして、この他方の端部には、この開口部を封止するための封止体１８０が取着されている。
【００５４】
この和太鼓Ｃによると、第１実施形態の効果に加え、以下の効果が得られる。即ち、取付部１２０が、胴本体１００の一端部のみに設けられ、皮革５００と一体とされた枠体３００は、この取付部１２０のみに取り付けられる。従って、和太鼓Ｃの構造のより一層の簡略化と、製造コストのより一層の低廉化と、を図ることができる。また、このように、製造コストがより一層、低廉であるため、例えば、練習用の和太鼓Ａとしても、気軽に使用することができる。
【００５５】
次に、図５〜７を用いて、第４実施形態の和太鼓Ｄについて説明する。この第４実施形態では、第３実施形態の練習用和太鼓Ｃの胴本体１００に改良を施すと共に、この和太鼓Ｃに消音装置４を付加している。なお、第４実施形態では、必要に応じて、和太鼓Ｃと同一の部品を同一の符号を付して説明する。
【００５６】
胴本体１００の改良点は、この胴本体１００の内壁面のうちで、直径方向に対向する一方の位置に雌型の支持部１４０を設けると共に、他方の位置に通過孔１５０を設けた点である。
【００５７】
また、消音装置４は、胴本体１００の一端部側に配置された当接部４１と、当接部４１を胴本体１００の軸心方向に沿って進退させる駆動手段４３と、駆動手段４３を操作するための操作部４４と、を備えている。
【００５８】
当接部４１は、剛性板４１ａと、当接シート４１ｂとを、略同心状に重ね合わせて構成されている。
【００５９】
剛性板４１ａは、中心に大型の貫通孔４１１ａを備えた略リング状物であり、外径が枠体３００の内径よりも小さくされている。また、剛性板４１ａには、多数の小型の貫通孔４１２ａが、大型の貫通孔４１１ａを略周回する状態に設けられている。
【００６０】
当接シート４１ｂは、弾性を備えた軟質シート（例えば、フェルト製）を用いて構成され、貫通孔４１１ａと同心・同径の貫通孔４１１ｂを備えた略リング状物である。また、この当接シート４１ｂも、外径が枠体３の内径よりも小さくされていると共に、貫通孔４１２ａと同心・同径の小型の貫通孔４１２ｂを多数備えている。そして、この当接シート４１ｂは、接着若しくはビス止め等の手法を用いて、剛性板４１ａの表面側に装着されている。なお、この当接シート４１ｂの外径は、剛性板４１ａよりも一回り大きくされている。
【００６１】
駆動手段４３は、カム軸４３ａと、一対のカム４３ｂ・４３ｂと、一対の従節軸４３ｃ・４３ｃと、を備えている。
【００６２】
カム軸４３ａは、一端部４３１ａを、胴本体１００内で支持部１４０に回動可能に支持し、他端部４３２ａを、通過孔１５０を通じて胴本体１００外部に露呈させている。また、カム軸４３ａの他端部４３２ａには、雄型のセレーション４３３ａが設けられ、このセレーション４３３ａには、操作部４４の雌型のセレーション（図示を省略）がセレーション嵌合されている。なお、通過孔１５０と操作部４４との間には、通過孔１５０を隠蔽するための封止リング４３４ａが介在されている。
【００６３】
一対のカム４３ｂ・４３ｂは、所謂、偏心カムであり、カム軸４３ａの中間部において所定の間隔を隔てた位置に、このカム軸４３ａと一体回動可能に設けられている。
【００６４】
各従節軸４３ｃ・４３ｃは、各カム４３ｂ・４３ｂと、剛性板４１ａとの間に介在され、各カム４３ｂ・４３ｂに加わる駆動力を剛性板４１ａに伝達するものである。すなわち、各従節軸４３ｃは、剛性板４１ａの裏面側において、貫通孔４１１ａを隔てて、剛性板４１ａの直径方向に対向する位置に配置されている。そして、一端部４３１ｃを剛性板４１ａに溶接・接着・ネジ止め等を用いて接合し、中間部を各従節軸４３ｃと一体可動する板バネ４３２ｃによって、胴本体１００の内壁面に支持している。また、各従節軸４３ｃの略鍔状とされた他端部４３３ｃは、カム４３ｂの機能面に接触している。
【００６５】
次に、図７を用いて、本和太鼓Ｄの使用例を説明する。先ず、消音装置４を機能させない状態で、この和太鼓Ｄを演奏する場合には、操作部４４を回動操作し、各カム４３ｂ・４３ｂを回動させて、各従節軸４３ｃ・４３ｃを後死位置に後退させる。このとき、図７の実線に示すように、両従節軸４３ｃ・４３ｃで２点支持された当接部４１は、皮革５００の裏面５１０のうちで鼓面５３０の裏側に位置する部位５１０ａ（以下、「裏側部位５１０ａ」という。）と非当接な状態となる。このため、本和太鼓Ｄを、あたかも、消音装置４を備えない和太鼓のように演奏することができる。
【００６６】
また、本和太鼓Ｄでは、剛性板４１ａ及び当接シート４１ｂ、すなわち、当接部４１が表裏を貫通する貫通孔４１１ａ・４１２ａ・４１１ｂ・４１２ｂを備えている。従って、本和太鼓Ｄの演奏時に皮革５００に加えられる振動は、これらの貫通孔４１１ａ・４１２ａ・４１１ｂ・４１２ｂを通過し、胴本体１００の内部空間全体にスムースに伝播される。従って、胴本体１００内に当接部４１が存在することを原因として、本和太鼓Ｄの演奏時に無用な共鳴や「びびり」を生じたり、本和太鼓Ｄの音色を低下させることを防止できる。
【００６７】
一方、消音装置４を機能させて、本和太鼓Ｄを使用する場合には、操作部４４を回動操作し、カム４３ｂ・４３ｂを回転させて、各従節軸４３ｃ・４３ｃを板バネ４３２ｃの付勢力に対抗させつつ、前死位置に前進させる。これにより、図７の二点鎖線に示すように、当接部４１は裏側部位５１０ａと当接する。この際、裏側部位５１０ａに当接する部分が、軟質シート（当接シート４１ｂ）で構成されるため、この当接部４１で裏側部位５１０ａを傷つけることはない。
【００６８】
そして、この消音装置４を機能させた状態で、本和太鼓Ｄを演奏すると、皮革５００の振動が抑制され、適度に消音された状態となる。このとき、操作部４４の回動操作量を適宜調節し、当接部４１から裏側部位５１０ａに加わる当接力を調節すれば、消音のレベルを選択することができる。
【００６９】
また、この消音装置４の作動状態を解除する場合には、操作部４４を回動操作し、各カム４３ｂ・４３ｂを回動させる。これにより、各従節軸４３ｃ・４３ｃの前死位置方向への拘束が解除されるため、各従節軸４３ｃ・４３ｃは板バネ４３２ｃの付勢力によって、後死位置方向に後退し、当接部４１と、裏側部位５１０ａとが非当接な状態を回復する。
【００７０】
この第４実施形態の和太鼓Ｄによると、第３実施の形態の効果に加えて、以下の効果が得られる。すなわち、本和太鼓Ｄは、消音装置４を機能させることより、適度に消音された状態で演奏することができる。このため、本和太鼓Ｄを住宅密集地や集合住宅等で演奏したり、本和太鼓Ｄを夜間に演奏しても、近隣住民に迷惑をかけることはない。従って、使用者は、例えば、夜間であっても、自宅等において、和太鼓Ｄの練習を思う存分行うことができる。また、本和太鼓Ｄでは、消音装置４を機能させない状態とすれば、あたかも、消音装置４を備えない和太鼓のように用いることができる。
【００７１】
なお、第４実施形態において、消音装置４の作動時に、当接部４１は、裏側部位５１０ａ全体のうちで、５〜９割、より好ましくは、７〜８割の部分に当接することが望ましい。５割未満であると、消音装置４の作動時に、十分な消音効果が得られないおそれがある。一方、９割を越えると、消音効果が過剰となり、和太鼓Ｄの音色が、味気の無いものとなるおそれがあるからである。
【００７２】
また、本和太鼓Ｄでは、各従節軸４３ｃ・４３ｃを前死位置に前進させたときに、この状態を確実に維持して、消音装置４の作動状態が不用意に解除されることを防止することが望ましい。このためには、例えば、駆動手段４３にロック機構を付加することが有効である。具体的には、各カム４３ｂ・４３ｂの機能面のうちで、前死位置にある各従節軸４３ｃ・４３ｃの他端部４３３ｃが接触する部分に対して、この他端部４３３ｃがはまり込む凹部を設けることができる。
【００７３】
さらに、第４実施形態では、第３実施形態の和太鼓Ｃに消音装置４を付加する態様を述べたが、第１実施形態の和太鼓Ａや、第２実施形態の和太鼓Ｂ等に対しても、消音装置４を付加することができる。また、第１実施形態の和太鼓Ａに消音装置４を付加する態様では、胴本体１の両端部側の内部に、消音装置４を各々配置してもよいし、胴本体１の一端部側の内部のみに、消音装置４を配置してもよい。
【００７４】
すなわち、請求項１乃至請求項６の何れかに記載の和太鼓においては、「胴本体の両端部側のうちの少なくも一方に配置される当接部と、当接部を胴本体の軸心方向に沿って進退させる駆動手段と、駆動手段を操作するための操作部と、を備えた消音装置」を付加することができる。そして、この消音装置では、駆動手段によって当接部を前死位置へ前進させ、皮革の裏面のうちで鼓面の裏側に位置する部位（すなわち、裏側部位）に、当接部を当接させて消音が行われる。一方、駆動手段によって当接部を後退させ、当接部と裏側部位とを非当接として消音を解除することができる。
【００７５】
また、消音装置の主要部を構成する駆動手段の具体的態様は、第４実施形態の具体例に限定されない。例えば、図８に示す変形例に係る和太鼓Ｅのように、消音装置４Ｂの主要部を構成する駆動手段４３Ｂを、片持ち梁状の板バネ４５と、操作軸４６と、板バネ４５に固定された螺進ナット４７と、スプリング４８と、操作部４９と、を用いて構成することもできる。
【００７６】
すなわち、この変形例では、当接部４１Ｂの裏面側に、板バネ４５の「略水平に屈曲した一端部４５ａ」が、ネジ止め・接着等の手法を用いて固定されている。また、板バネ４５の「略垂直に湾曲した他端部４５ｂ」が、胴本体１００の内壁面にネジ止め・接着等の手法を用いて固定されている。このため、当接部４１Ｂは、板バネ４５を介して、胴本体１００の内壁面に支持された状態となっている。さらに、板バネ４５の中間部には、通過孔（図示を省略）が設けられ、この通過孔は、胴本体１００の通過孔１６０に位置合わせされている。
【００７７】
また、操作軸４６の一端部には、雄ネジ部４６ａが設けられ、他端部には操作部４９が一体回動可能な状態に外嵌されている。さらに、操作軸４６の雄ネジ部４６ａは、「胴本体１００の通過孔１６０」・「スプリング４８」・「板バネ４５の通過孔」の順に挿通されている。また、操作軸４６の他端部と、これに外嵌された操作部４９は、胴本体１００の外部に露呈し、操作軸４６の雄ネジ部４６ａは、板バネ４５の裏面側に突出している。さらに、この突出した雄ネジ部４６ａには、螺進ナット４７が螺合されている。そして、スプリング４８が、板バネ４５の表面と、胴本体１００の内壁面との間に圧縮状態で介在されるため、板バネ４５は、操作部４９から離間する方向に付勢された状態となっている。
【００７８】
この和太鼓Ｅを、消音装置４Ｂを機能させない状態で演奏する場合には、図８の実線に示すように、当接部４１Ｂと、裏側部位５１０ａとを非当接な状態とすればよい。
【００７９】
一方、消音装置４Ｂを機能させつつ演奏する場合には、操作部４９を正転操作し、操作軸４６を正転させる。これにより、螺進ナット４７が、操作部４９の方向へ螺進し、この螺進ナット４７がスプリング４８の付勢力に対抗しつつ、板バネ４５を操作部４９の方向へ移動させる。そして、図８の二点鎖線に示すように、板バネ４５の傾斜角を大きくして、板バネ４５の一端部４５ａを裏側部位５１０ａに近接させ、当接部４１Ｂをこの裏側部位５１０ａに当接させればよい。
【００８０】
また、この消音装置４Ｂの作動状態を解除する場合には、操作部４９を反転操作し、操作軸４６を反転させる。これにより、螺進ナット４７が、操作部４９と離間する方向へ螺進するため、板バネ４５はスプリング４８の付勢力によって、この操作部４９と離間する方向へ移動する。そして、板バネ４５の傾斜角を小さくして、板バネ４５の一端部４５ａを裏側部位５１０ａから離間させ、当接部４１Ｂと、裏側部位５１０ａとを非当接な状態とすればよい。
【００８１】
この変形例に係る和太鼓Ｅも、適度に消音された状態で演奏することができる。また、消音装置４Ｂを機能させない状態とすれば、あたかも、消音装置４Ｂを備えない和太鼓のように用いることができる。
【００８２】
なお、第４実施形態及びその変形例では、剛性板４１ａと、当接シート４１ｂとからなる当接部４１（４１Ｂ）を例示したが、当接部４１（４１Ｂ）の態様はこれに限定されない。例えば、剛性板４１ａのみで当接部４１（４１Ｂ）を構成してもよいし、当接シート４１ｂの代わりにゴム板等を用いることもできる。また、当接部４１の貫通孔４１１ａ・４１２ａ・４１１ｂ・４１２ｂを省略したり、貫通孔４１１ａ・４１２ａ・４１１ｂ・４１２ｂの形成態様を変更することもできる。例えば、多数の貫通孔を、当接部４１の略全域に散点状に設けることもできる。また、貫通孔のサイズ・形状も特に問わず、各貫通孔が同径若しくは異径とされても、略楕円状・スリット状等の円形状以外の形状とされてもよい。
【００８３】
また、前記各実施の形態では、金属製の胴本体１（１００）について述べたが、胴本体１（１００）の構成素材は金属に限定されない。例えば、木製、紙製若しくは合成樹脂製（例えば、ＦＲＰ製）の胴本体１（１００）であってもよい。また、胴本体１（１００）を紙製若しくは合成樹脂製とする場合には、各実施形態と同様に、和太鼓Ａ・Ｂ・Ｃ・Ｄ・Ｅの製造コストの低廉化や、和太鼓Ａ・Ｂ・Ｃ・Ｄ・Ｅの品質の均質化を図ることができる。
【００８４】
さらに、胴本体１（１００）を紙製とする場合に、紙の種類として再生紙を選択すれば、資源のより一層の有効利用を図ることができる。尚、この再生紙を用いた胴本体１（１００）は、例えば、以下に示す真空成形法等を用いて作製できる。この真空成形法では、例えば、第１の金型部と、第２の金型部と、を備えた割型タイプの成形用金型を用意する。この成形用金型は、両金型部の当接面を互いに当接させて型締めを行ったときに、内部に胴本体１（１００）の外形と凹凸が反転する成形用空間を形成するものとする。
【００８５】
そして、原料（例えば、パルプの古紙若しくは製紙の古紙を水で溶解して構成される原料）が入れられた原料漕に、この成形用金型を若干、型開きした状態で、「とぶづけ」する。これにより、成形用空間に原料が充填され、その後、型締めが行われる。
【００８６】
次いで、成形用金型の外部に配置された真空装置によって、成形用空間内の水分を成形用金型外に吸引する。但し、この吸引は、成形用空間の略全周域において均等に行われる。これにより、成形用空間内の原料は、金型の内壁面（成形用空間の外郭を構成する面）に層状に付着し、胴本体１（１００）の半完成品が形成される。そして、この半完成品を離型し、乾燥させた後に、必要に応じて半完成品の外面に木目模様等を施して、胴本体１（１００）を完成する。
【００８７】
また、胴本体１（１００）を必ずしも、単体として構成する必要はなく、複数の胴本片の連結品として構成することもできる。
【００８８】
さらに、連結部材の具体的な態様は、前述のビス７を用いた態様や、係止部７１及び係止アーム７２等を用いた態様に限定されない。例えば、取付部１２（１２０）の外周面に形成される雄ネジ部と、枠体３の内周面に形成されると共に取付部１２（１２０）の雄ネジ部に螺合可能な雌ネジ部と、によって連結部材を構成することもできる。
【００８９】
また、第１実施形態では、枠体３や皮革５に、化粧キャップ８を装着する取付孔３１・５５を設けた場合を示したが、図９に示すように、予め、取付孔３１・３３を全く設けずに、連結部材としてのビス７を、皮革５の耳部５２・枠体３に順次ねじ込んで、さらに、取付部１２にネジ込むようにして、皮革５ごと枠体３を胴本体１に連結し、そして、他の部位で皮革５を枠体３に固定したと同様な鋲６を、化粧キャップ８として、ビス７の頭部７ａを隠すように、枠体３に打ち込んでもよい。なお、この頭部７ａを隠した化粧キャップ８（鋲６）は、枠体３を取り外す際に解りやすいように、頭部７ａを隠していない鋲６と、色を変えておくことが望ましい。
【００９０】
さらに、第４実施形態の応用例として、図１０に示す練習用の和太鼓Ｆを例示することができる。なお、この「太鼓Ｆ」の構造は、前記各実施形態及び変形例で例示したような和太鼓Ａ〜Ｄの他に、鼓や洋式太鼓等にも応用できる。
【００９１】
この応用例に係る練習用和太鼓Ｆは、胴本体９１の端部、例えば上端部に、鼓面９５３を構成する皮革９５が張設状態で装着されている。そして、皮革９５の配置された胴本体９１の端部側に、消音装置９４が内蔵されている。
【００９２】
この消音装置９４は、当接部９４１と、当接部９４１を胴本体９１の軸心方向に沿って進退させる駆動手段９４３と、駆動手段９４３を操作するための操作部９４４と、を備えている。なお、駆動手段９４３は、第４実施形態と同様に、カム軸９４３ａと、一対のカム９４３ｂ・９４３ｂと、一対の従節軸９４３ｃ・９４３ｃと、を備えている。また、各従節軸９４３ｃ・９４３ｃの中間部は、一体可動する板バネ９４３ｄによって、胴本体９１の内壁面に支持されている。
【００９３】
この応用例においても、操作部９４４を操作し、駆動手段９４３によって、当接部９４１を前死位置へ前進させ、皮革９５の裏面９５１のうちで、鼓面９５３の裏側に位置する部位（すなわち、裏側部位）９５１ａに、当接部９４１を当接させて消音を行う。また、当接部９４１を後退させ、当接部９４１と裏側部位９５１ａとを非当接として、消音状態を解除する。
【００９４】
この応用例のように、皮革９５を胴本体９１に直接・装着する練習用の和太鼓Ｆにおいても、消音装置９４を好適に付加することができる。そして、この応用例に係る和太鼓Ｆも、適度に消音された状態で演奏することができる。また、消音装置９４を機能させない状態とすれば、あたかも、消音装置９４を備えない太鼓のように演奏することができる。
【図面の簡単な説明】
【図１】第１実施形態の和太鼓を示す分解斜視図である。
【図２】同実施形態の和太鼓の要部縦断面図である。
【図３】（ａ）〜（ｃ）は、第２実施形態の和太鼓の要部側面図である。
【図４】第３実施形態の和太鼓を示す斜視図である。
【図５】第４実施形態の和太鼓を示す斜視図である。
【図６】同実施形態の和太鼓の分解斜視図である。
【図７】同実施形態の和太鼓の要部縦断面図である。
【図８】第４実施形態の変形例を示す部分断面図である。
【図９】第１実施形態の変形例を示す部分断面図である。
【図１０】第４実施形態の応用例を示す要部縦断面図である。
【符号の説明】
Ａ・Ｂ・Ｃ・Ｄ・Ｅ…和太鼓、
Ｆ…太鼓、
１・１００…胴本体、
１２・１２０…取付部、
４・４Ｂ・９４…消音装置
３・３００…枠体、
５・５００…皮革、
５３・５３０…鼓面、
７…ビス（連結部材）。
【図１】
0003613760.tif 000002
【図２】
0003613760.tif 000003
【図３】
0003613760.tif 000004
【図４】
0003613760.tif 000005
【図５】
0003613760.tif 000006
【図６】
0003613760.tif 000007
【図７】
0003613760.tif 000008
【図８】
0003613760.tif 000009
【図９】
0003613760.tif 000010
【図１０】
0003613760.tif 000011